(57)【要約】      （修正有）【課題】耳ひもを自由に調整できるマスクを提供する。【解決手段】マスクは、マスク本体１１と、伸縮性を有する素材で形成された耳ひも１２と、支持バンド１３とを有する。マスク本体は、使用者の顔の所定領域を覆う。耳ひもは、使用者の耳に掛けられ、耳ひもの基端部１２ａは、マスク本体の上部に固定される。支持バンドはマスク本体の下部に設けられ、支持バンドとマスク本体の間には、耳ひもの先端部１２ｂが通される隙間が形成され、耳ひもをマスク本体に押し付けて支持する。マスク本体と支持バンドの隙間で耳ひもを摺動させることにより、耳に掛けられた部分の長さを自由に調整して、かつ固定することができる。【選択図】図２
0003197181.tif 000002
【実用新案登録請求の範囲】
【請求項１】
使用者の顔の所定領域を覆うマスク本体と、
伸縮性を有する素材で形成されており、前記マスク本体に固定される基端部を備え、使用者の耳に掛けられる耳ひもと、
前記マスク本体との間で、前記耳ひもの先端部側が通される隙間を形成し、前記耳ひもを前記マスク本体に押し付けて支持する支持バンドと、
を有することを特徴とするマスク。
【請求項２】
前記耳ひもの前記基端部が、前記マスク本体の上部に固定されており、
前記支持バンドが、前記マスク本体の下部に設けられていることを特徴とする請求項１に記載のマスク。
【請求項３】
前記マスク本体は、前記マスク本体の上部に沿って設けられ、伸縮性を有する素材で形成された帯部を有しており、
前記耳ひもは、前記帯部と一体的に形成されていることを特徴とする請求項２に記載のマスク。
【請求項４】
前記マスク本体は、前記マスク本体の下部に沿って設けられ、伸縮性を有する素材で形成された帯部を有しており、
前記支持バンドは、前記マスク本体の下部に設けられた前記帯部の端を折り返すことによって形成されていることを特徴とする請求項２又は３に記載のマスク。
【請求項５】
前記支持バンドは、前記マスク本体のうち、使用者の顔と対向する面に設けられていることを特徴とする請求項１から４のいずれか１つに記載のマスク。
【請求項６】
前記耳ひもの前記先端部には、前記マスク本体又は前記支持バンドと接触して、前記隙間の通過を阻止するストッパが設けられていることを特徴とする請求項１から５のいずれか１つに記載のマスク。
【請求項７】
前記マスク本体は、メッシュ状の織物によって形成されており、
前記マスク本体のオープニングが、１０μｍ以上かつ４０μｍ以下であることを特徴とする請求項１から６のいずれか１つに記載のマスク。
【考案の詳細な説明】
【技術分野】
【０００１】
本考案は、使用者の顔に装着され、花粉や塵埃等の侵入を防止するマスクに関する。
【背景技術】
【０００２】
日本における花粉症の症例は、１９６０年に初めて報告されてから、急激な増加をたどっている。２０１０年には日本国民の３０％が花粉症有病者であり、その中でも特に、全体の７０％の患者の原因はスギ花粉となっている。最近では、花粉症患者の低年齢化も問題となっており、対策が急がれている。現在の対応策としては、内服薬、点眼、点鼻薬などによる対症療法と、できるだけ花粉を吸い込まないようにするために、マスクやめがねをして外出するなどのセルフケアなどがある。しかし、薬を服用する対症療法の場合、眠気がおきるなどの副作用を伴うため、対症療法ではなく、マスクやめがねなどのセルフケアをしている患者が多いのが実情であるが、正しいサイズや装着方法を守らないとすき間から花粉や塵埃が入ってきて効果が得られない、などの問題があった。
【０００３】
そこで、これらを解決する方法として、弾性を有するシリコンエラストマー素材のノーズアダプタを用いることで、隙間のできやすい鼻とマスクのすき間を埋めることができるマスクや（特許文献１）、耳掛け部に伸縮性のある不織布を用い、顔を覆う部分に低収縮性の不織布を用いることで、フィット感を持たせつつ、口元に広い空間を持たせることで呼吸も楽になる使い捨てマスク（特許文献２）などが開発されている。
【先行技術文献】
【特許文献】
【０００４】
【特許文献１】特開２０１０−２４００８４号公報
【特許文献２】特開平９−１４９９４５号公報
【考案の開示】
【考案が解決しようとする課題】
【０００５】
特許文献１，２に記載のマスクでは、耳に掛ける部分（耳ひもという）の長さが固定されているため、使用者によっては、使用者の耳に耳ひもが喰い込んだり、使用者の耳に掛けられた耳ひもが緩かったりする。
【０００６】
また、マスクを使用し続けると、耳ひもが伸びきってしまうことがある。この場合には、使用者の口や鼻をマスクによって覆うことができなくなり、マスクの本来の機能を達成することができなくなる。
【課題を解決するための手段】
【０００７】
本考案であるマスクは、マスク本体と、耳ひもと、支持バンドとを有する。マスク本体は、使用者の顔の所定領域を覆う。耳ひもは、伸縮性を有する素材で形成されており、使用者の耳に掛けられ、耳ひもの基端部は、マスク本体に固定される。支持バンドおよびマスク本体の間には、耳ひもの先端部側が通される隙間が形成され、支持バンドは、耳ひもをマスク本体に押し付けて支持する。
【０００８】
本考案によれば、使用者が耳ひもを操作して、マスク本体および支持バンドの間に形成された隙間において、耳ひもを摺動させることにより、耳ひものうち、使用者の耳に掛けられた部分の長さを自由に調整することができる。これにより、使用者の耳に対する耳ひもの締め付け力を、使用者毎に調整することができる。
【０００９】
ここで、耳ひもは、伸縮性を有する素材で形成されているため、耳ひもを引っ張ると、耳ひもを伸張させることができ、マスク本体および支持バンドの間に形成された隙間において、耳ひもを摺動させやすくなる。また、耳ひもに伸縮性を持たせることにより、使用者の耳に対する耳ひもの装着感を向上させることができる。
【００１０】
一方、支持バンドは、耳ひもをマスク本体に押し付けているため、使用者が耳ひもを操作していなければ、マスク本体および支持バンドによって、耳ひもを固定することができる。また、耳ひもを引っ張ることを止めると、耳ひもを膨張させることができ、マスク本体および支持バンドに対して耳ひもを密接させて、耳ひもを固定することができる。これにより、耳ひもが弛んでしまうことを抑制できる。
【００１１】
耳ひもの基端部は、マスク本体の上部に固定することができる。そして、支持バンドを、マスク本体の下部に設けることができる。これにより、耳ひもの先端部を、マスク本体の下方に突出させることができ、使用者は、耳ひもの先端部を引っ張りやすくなる。
【００１２】
マスク本体は、マスク本体の上部に沿って設けられ、伸縮性を有する素材で形成された帯部を有する。この帯部に対して、耳ひもを一体的に形成することができる。これにより、耳ひもを引っ張ったときに、マスク本体の上部に設けられた帯部も引っ張りやすくなり、帯部を使用者の顔に密接させやすくなる。
【００１３】
マスク本体は、マスク本体の下部に沿って設けられ、伸縮性を有する素材で形成された帯部を有する。この帯部の端を折り返すことにより、支持バンドを形成することができる。これにより、帯部の一部を用いて、支持バンドを形成することができる。
【００１４】
支持バンドは、マスク本体のうち、使用者の顔と対向する面に設けることができる。これにより、耳ひもを、支持バンドおよびマスク本体の間に形成された隙間に通しやすくなる。
【００１５】
耳ひもの先端部には、マスク本体又は支持バンドと接触して、隙間の通過を阻止するストッパを設けることができる。これにより、耳ひもの先端部が、マスク本体および支持バンドの間の隙間から抜けてしまうことを抑制できる。
【００１６】
マスク本体は、メッシュ状の織物によって形成することができる。ここで、マスク本体のオープニングを、１０μｍ以上かつ４０μｍ以下とすることができる。オープニングを１０μｍ以上とすることにより、マスク本体の通気性を確保しやすくなる。また、オープニングを４０μｍ以下とすることにより、花粉症患者のアレルギー源となる花粉（主に、スギやヒノキの花粉）がマスク本体を通過することを抑制できる。
【図面の簡単な説明】
【００１７】
【図１】本実施形態のマスクの前面を模式的に表した図である。
【図２】本実施形態のマスクの背面を模式的に表した図である。
【考案を実施するための形態】
【００１８】
以下に、本考案の実施形態の１つについて図面を用いて詳細に説明する。
【００１９】
図１は、本実施形態のマスクの正面図であり、図２は、本実施形態のマスクの背面図である。本実施形態のマスク１は、マスク本体１１と、使用者の耳に掛けられる耳ひも１２と、耳ひも１２を支持するための支持バンド１３と、を有する。
【００２０】
マスク本体１１は、使用者の顔の所定領域を覆うために用いられる。この所定領域には、使用者の口や鼻を含めることができる。使用者がマスク１を装着したとき、マスク本体１１の中央部が使用者の顔から離れるように、マスク本体１１は立体的に形成されている。具体的には、マスク本体１１は、２つの分割体１１Ａ，１１Ｂによって構成されており、各分割体１１Ａ，１１Ｂのうち、曲率を有する外縁を互いに縫い合わせることにより、立体形状のマスク本体１１を形成することができる。図１および図２に示すラインＬは、２つの分割体１１Ａ，１１Ｂの外縁を互いに縫い合わせた部分である。
【００２１】
このようにマスク本体１１を立体的に形成することにより、マスク本体１１の外縁を使用者の顔に密接させつつ、マスク本体１１の中央部を使用者の顔から離すことができる。マスク本体１１の外縁を使用者の顔に密接させることにより、使用者の顔およびマスク本体１１の間に、異物が進入することを抑制できる。また、マスク本体１１の中央部が使用者の顔から離れることにより、マスク本体１１の中央部と使用者の顔との間に空間を形成することができ、使用者は呼吸をしやすくなる。
【００２２】
マスク本体１１は、使用者の顔の所定領域を覆い、通気性を備えていればよく、他の要件については、特に限定されない。例えば、マスク本体１１の素材としては、織物、編物、不織布などの布帛や、混抄紙などを用いることができる。特に、マスク本体１１の素材として、メッシュ状の織物を用いれば、織物のオープニングを設定しやすくしたり、マスク本体１１の厚みを薄くしたりすることができる。
【００２３】
オープニングを所望の値に設定することにより、オープニング以上のサイズを有する異物がマスク本体１１を通過することを抑制できると共に、通気性を確保しやすくなる。また、マスク本体１１の厚みを薄くすることにより、マスク１を軽量化することができる。
【００２４】
また、マスク本体１１の材質についても特に限定はされない。例えば、ポリエステル、ポリプロピレン、ポリエチレンテレフタレート、ナイロン、アクリル、ポリアクリル酸、ポリメタクリル酸メチル、レーヨン、アセテート、トリアセテート、などからなる合成繊維や、綿、麻、羊毛、竹、絹等の天然繊維を用いて、マスク本体１１を形成することができる。特に、合成繊維を用いると、昇華転写法により染色が可能となるため、マスク本体１１に色や模様等を形成することができる。
【００２５】
ここで、昇華転写法による染色について説明する。昇華転写法では、まず、染料を分散させた昇華性インクを用いて、インクジェットプリンタなどで転写シートに左右反転させた画像を印刷する。その後、画像が印刷された転写シートを、マスク本体１１の素材にあわせた後、ヒートプレス機にて加熱・加圧する。これにより、気化したインクが、マスク本体１１の素材に転写して染色される。
【００２６】
昇華転写法では、製版などが不要となるため、小ロットでも、フルカラーの画像をマスク本体１１の素材に形成したり、マスク本体１１の素材の両面に画像を形成したりすることができる。また、マスク本体１１を構成する繊維などの内部に染料を染み込ませることができるため、マスク１の洗濯や経時変化などによって、マスク本体１１の素材に形成された画像がぼやけるといった不具合を抑制できる。
【００２７】
マスク本体１１の素材として、メッシュ状の織物を用いる場合、織物のオープニングは、１０μｍ以上、４０μｍ以下であることが好ましい。オープニングが１０μｍよりも小さいと、マスク本体１１の通気性が低下しやすくなるため、使用者が呼吸しにくくなることを抑制する上では、オープニングを１０μｍ以上とすることが好ましい。
【００２８】
また、オープニングが４０μｍよりも大きいと、異物がマスク本体１１を通過しやすくなるため、マスク本体１１における異物の通過を抑制する上では、オープニングを４０μｍ以下とすることが好ましい。特に、マスク１を花粉防止のために用いるときには、花粉症患者の主なアレルギー源であるスギやヒノキの花粉の大きさが３０〜４０μｍであることから、オープニングを３０μｍ以下とすることが好ましい。
【００２９】
マスク本体１１は、この外縁において、伸縮性を有する素材で形成された帯部１１ａ〜１１ｃを有する。ここで、伸縮性を有する素材としては、ゴムやポリウレタンなどを用いることができる。また、帯部１１ａ〜１１ｃは、例えば、縫合によって、マスク本体１１の外縁に固定することができる。
【００３０】
帯部１１ａは、マスク本体１１の上部に沿って設けられており、マスク本体１１の上部に固定されている。帯部１１ｂは、マスク本体１１の下部に沿って設けられており、マスク本体１１の下部に固定されている。一対の帯部１１ｃは、マスク本体１１の側縁部に沿ってそれぞれ設けられ、マスク本体１１の側縁部に固定されている。各帯部１１ｃの上端は、帯部１１ａに接続され、各帯部１１ｃの下端は、帯部１１ｂに接続されている。
【００３１】
上述したように、マスク本体１１の外縁に帯部１１ａ〜１１ｃを設けることにより、マスク本体１１の外縁が破れてしまうことなどを防止でき、マスク本体１１の強度を確保しやすくなる。なお、帯部１１ａ〜１１ｃを省略することもできる。また、各帯部１１ａ〜１１ｃを、伸縮性を有する素材で形成しなくてもよい。
【００３２】
耳ひも１２は、伸縮性を有する素材で形成されているとともに、帯状に形成されている。伸縮性を有する素材としては、ゴムやポリウレタンなどを用いることができる。耳ひも１２に伸縮性を持たせることにより、使用者の耳に対する耳ひも１２の装着感を向上させることができる。
【００３３】
本実施形態では、耳ひも１２を帯状に形成しており、耳ひも１２の長手方向と直交する断面の形状が扁平状に形成されているが、他の形状に形成することもできる。例えば、耳ひも１２の長手方向と直交する断面の形状を略円形に形成することもできる。
【００３４】
一対の耳ひも１２は、マスク本体１１に接続されている。具体的には、一対の耳ひも１２の基端部１２ａは、マスク本体１１の帯部１１ａの両端に対して、それぞれ一体的に形成されている。なお、耳ひも１２の基端部１２ａは、帯部１１ａと一体的に形成されていなくてもよい。すなわち、耳ひも１２および帯部１１ａを別々に用意しておき、耳ひも１２の基端部１２ａを、縫合などによって、帯部１１ａに固定することもできる。なお、帯部１１ａを省略したときには、帯部１１ａが省略されたマスク本体１１に、耳ひも１２の基端部１２ａを固定すればよい。
【００３５】
支持バンド１３は、伸縮性を有する素材で形成されており、図２に示すように、マスク本体１１の背面において、帯部１１ｂの両端にそれぞれ固定されている。マスク本体１１の背面とは、使用者がマスク１を装着したとき、マスク本体１１のうち、使用者の顔と対向する面である。なお、支持バンド１３を、伸縮性を有する素材で形成しなくてもよい。
【００３６】
本実施形態では、帯部１１ｂの両端をそれぞれ折り返すことにより、支持バンド１３を形成しているが、これに限るものではない。具体的には、帯部１１ｂおよび支持バンド１３を別々に用意しておき、縫合などによって、支持バンド１３を帯部１１ｂに固定することもできる。
【００３７】
支持バンド１３および帯部１１ｂの間には、耳ひも１２を通すための隙間が形成されている。上述したように、マスク本体１１の背面に支持バンド１３を設けることにより、支持バンド１３および帯部１１ｂの間に形成された隙間に、耳ひも１２を通しやすくなる。
【００３８】
帯部１１ｂおよび支持バンド１３の間の隙間に、耳ひも１２を通したとき、帯部１１ｂおよび支持バンド１３によって、耳ひも１２が挟み込まれる。言い換えれば、支持バンド１３は、耳ひも１２と接触して、耳ひも１２を帯部１１ｂに押し付けている。これにより、帯部１１ｂおよび支持バンド１３の間において、耳ひも１２を摺動しにくくしている。
【００３９】
支持バンド１３および帯部１１ｂの間の隙間に耳ひも１２を通すことにより、耳ひも１２および帯部１１ｃが環状に形成されるため、耳ひも１２を使用者の耳に掛けることができる。また、支持バンド１３および帯部１１ｂの間の隙間に耳ひも１２を通したとき、図１および図２に示すように、耳ひも１２の先端部１２ｂは、マスク本体１１の下方に突出する。
【００４０】
耳ひも１２の先端部１２ｂは、耳ひも１２を折り返して重ねられた構成となっているため、先端部１２ｂの厚さは、耳ひも１２のうち、先端部１２ｂを除く領域の厚さよりも厚くなる。これにより、耳ひも１２の先端部１２ｂを、支持バンド１３又は帯部１１ｂと接触させることにより、先端部１２ｂが、支持バンド１３および帯部１１ｂの間の隙間を通過することを防止できる。すなわち、耳ひも１２の先端部１２ｂに、ストッパとしての機能を持たせおり、耳ひも１２の先端部１２ｂが、支持バンド１３および帯部１１ｂの間の隙間から抜けてしまうことを抑制できる。
【００４１】
なお、本実施形態では、耳ひも１２を折り畳むことにより、先端部１２ｂを形成しているが、これに限るものではない。すなわち、耳ひも１２の先端部１２ｂが、支持バンド１３および帯部１１ｂの間の隙間を通過しなければよい。例えば、耳ひも１２の全体において、耳ひも１２の厚さを等しくしておき、先端部１２ｂに相当する位置において、ストッパとして機能する部材（ストッパ部材）を固定することもできる。
【００４２】
耳ひも１２を使用者の耳に掛けた状態において、使用者が耳ひも１２の先端部１２ｂを下方に引っ張ると、支持バンド１３および帯部１１ｂの間で耳ひも１２が摺動し、耳ひも１２のうち、使用者の耳に掛けられている部分の長さを短くすることができる。これにより、使用者の耳に対して耳ひも１２を締め付けることができるとともに、帯部１１ａ〜１１ｃを使用者の顔に密接させやすくすることができる。
【００４３】
また、耳ひも１２は、伸縮性を有する素材で形成されているため、耳ひも１２を引っ張れば、耳ひも１２を伸張させることができ、耳ひも１２を引っ張らないときに比べて、耳ひも１２の長手方向と直交する断面積を小さくできる。耳ひも１２の断面積を小さくすることにより、支持バンド１３および帯部１１ｂの間に形成された隙間を、耳ひも１２が摺動しやすくなる。
【００４４】
本実施形態では、帯部１１ａおよび耳ひも１２が一体的に形成されているため、使用者の耳に対して耳ひも１２を締め付けたときには、耳ひも１２を介して帯部１１ａを引っ張ることができる。これにより、帯部１１ａを使用者の顔に密接させやすくなる。
【００４５】
上述したように、耳ひも１２は、支持バンド１３および帯部１１ｂの間で摺動しにくくなっているため、使用者が耳ひも１２を引っ張ることを止めると、このときの状態で耳ひも１２を維持することができる。すなわち、使用者の耳に対して耳ひも１２を締め付けた状態に維持することができる。また、耳ひも１２を引っ張ることを止めると、耳ひも１２を引っ張っているときに比べて、耳ひも１２の長手方向と直交する断面積を大きくすることができる。すなわち、耳ひも１２を膨張させて、支持バンド１３や帯部１１ｂに密接させやすくなるため、支持バンド１３および帯部１１ｂの間で耳ひも１２を摺動しにくくすることができる。
【００４６】
また、支持バンド１３は、マスク本体１１の背面に設けられており、支持バンド１３および帯部１１ｂの間で耳ひも１２が摺動する方向は、マスク１の上下方向となる。ここで、耳ひも１２を使用者の耳に掛けたとき、耳ひも１２のうち、使用者の耳に掛けられた部分は、支持バンド１３および帯部１１ｂの間で摺動する方向とは異なる方向（図２の矢印Ｄで示す方向）に引っ張られる。このため、耳ひも１２は、支持バンド１３によって支持され、支持バンド１３および帯部１１ｂの間で、耳ひも１２が摺動することを抑制できる。
【００４７】
一方、耳ひも１２のうち、使用者の耳に掛けられている部分を引っ張れば、支持バンド１３および帯部１１ｂの間で耳ひも１２を摺動させて、耳ひも１２のうち、使用者の耳に掛けられている部分の長さを長くすることができる。これにより、使用者の耳に対する耳ひも１２の締め付けを緩めることができ、使用者の顔からマスク１を取り外しやすくなったり、使用者の顔に対するマスク本体１１の密接力を弱めたりすることができる。
【００４８】
上述したように、耳ひも１２は、支持バンド１３および帯部１１ｂの間で摺動しにくくなっているため、使用者の耳に対する耳ひも１２の締め付けを緩めた後では、この状態を維持することができる。
【００４９】
耳ひも１２は、支持バンド１３および帯部１１ｂの間の隙間に通されているだけであるため、使用者は、耳ひも１２を操作することにより、使用者の耳に対する耳ひも１２の締め付け力を無段階で調整することができる。耳ひも１２の両端部をマスク本体１１に固定してしまうと、マスクを使用し続けることにより、耳ひも１２が弛んでしまい、マスク本体１１を使用者の顔に密接させにくくなってしまう。本実施形態では、耳ひも１２が弛んでしまっても、耳ひも１２の先端部１２ｂを引っ張り直すことにより、マスク本体１１を使用者の顔に密接させることができる。
【００５０】
本実施形態では、耳ひも１２の基端部１２ａをマスク本体１１の上部（すなわち、帯部１１ａ）に固定しているが、耳ひも１２の基端部１２ａをマスク本体１１の下部（すなわち、帯部１１ｂ）に固定することもできる。この場合には、本実施形態で説明した支持バンド１３を、帯部１１ａの両端に設ければよい。そして、使用者の耳に対して耳ひも１２を締め付けるときには、耳ひも１２の先端部１２ｂをマスク１の上方に引っ張ればよい。ただし、本実施形態のように、耳ひも１２の先端部１２ｂをマスク本体１１の下方に突出させることにより、使用者は、耳ひも１２を引っ張りやすくなる。
【００５１】
本実施形態では、支持バンド１３を帯部１１ｂに固定しているが、これに限るものではない。具体的には、帯部１１ｃに支持バンド１３を固定することもできる。また、本実施形態では、マスク本体１１の背面に支持バンド１３を設けているが、これに限るものではない。具体的には、マスク本体１１の縁（例えば、帯部１１ｂの下端）に対して、支持バンド１３を設けることもできる。
【００５２】
マスク１には、更なる機能を持たせることもできる。例えば、マスク１（特に、マスク本体１１）に撥水加工を施すことにより、マスク１が湿ってしまうことを抑制できる。また、静電気の発生を抑制する糸を用いてマスク本体１１を形成することにより、静電気によって、マスク本体１１に花粉が付着することを抑制できる。
【符号の説明】
【００５３】
１：マスク
１１：マスク本体
１１Ａ，１１Ｂ：分割体
１１ａ〜１１ｃ：帯部
１２：耳ひも
１２ａ：耳ひもの基端部
１２ｂ：耳ひもの先端部
１３：支持バンド
【図１】
0003197181.tif 000003
【図２】
0003197181.tif 000004